(57)【要約】【課題】オフセット距離が変更可能なオフセット型ワイヤーハーネス用クランプを提供する。【解決手段】ワイヤーハーネスに取り付けられる添え板12と、先端にアンカー部16を有するオフセットアーム14とを別体に形成する。添え板12及びオフセットアーム14に、この両者を添え板12からアンカー部16までのオフセット距離Ｓが変更できるように結合する結合部20Ａ、20Ｂを設ける。添え板側の結合部20Ａは、オフセットアーム14の添え板長手方向の移動を規制する横方向位置決め部22と、オフセットアームのオフセット方向の移動を規制する縦方向位置決め部24と、オフセットアームの板厚方向の移動を規制する抜け止め部24、26とで構成される。オフセットアーム側の結合部20Ｂは、添え板側の縦方向位置決め部24に係合してオフセット距離を設定するオフセット距離設定部28と、添え板側の抜け止め部24、26に係合する抜け止め用係合部28、30とで構成される。【選択図】図２
2007185053.tif 000002
【特許請求の範囲】
【請求項１】
ワイヤーハーネスに取り付けられる添え板と、先端にアンカー部を有するオフセットアームとを別体に形成し、前記添え板及びオフセットアームに、この両者を添え板からアンカー部までのオフセット距離が変更できるように結合する結合部を設けたことを特徴とするオフセット型ワイヤーハーネス用クランプ。
【請求項２】
添え板側の結合部は、オフセットアームの添え板長手方向の移動を規制する横方向位置決め部と、オフセットアームのオフセット方向の移動を規制する縦方向位置決め部と、オフセットアームの板厚方向の移動を規制する抜け止め部とで構成され、
オフセットアーム側の結合部は、前記添え板側の縦方向位置決め部に係合してオフセット距離を設定するオフセット距離設定部と、前記添え板側の抜け止め部に係合する抜け止め用係合部とで構成されている、
ことを特徴とする請求項１記載のオフセット型ワイヤーハーネス用クランプ。
【請求項３】
添え板側に設けられた横方向位置決め部は、添え板の長手方向中間部を横断するように形成されたアーム嵌め込み溝からなり、
添え板側に設けられた縦方向位置決め部は、前記アーム嵌め込み溝の側壁上部から当該溝内に張り出すように形成された突片からなり、
添え板側に設けられた抜け止め部は、前記突片と、前記アーム嵌め込み溝の溝底から立ち上がる先端に鉤部の付いたロック片とからなり、
オフセットアーム側に設けられたオフセット距離設定部は、オフセット方向に所定のピッチで形成された前記添え板側の突片が入る複数の係合凹部からなり、
オフセットアーム側に設けられた抜け止め片用係合部は、前記添え板側のロック片が挿通され、その鉤部が縁に引っ掛かるように形成されたオフセット方向に長いスロットからなる、
ことを特徴とする請求項２記載のオフセット型ワイヤーハーネス用クランプ。
【請求項４】
添え板とオフセットアームは、紐状又は帯状のヒンジ部で連結されていることを特徴とする請求項１〜３のいずれかに記載のオフセット型ワイヤーハーネス用クランプ。
【発明の詳細な説明】
【技術分野】
【０００１】
本発明は、ワイヤーハーネスを自動車のボディやパネル等の所定箇所に固定するのに使用されるワイヤーハーネス用クランプに関し、特にボディ等の設けられた固定穴がワイヤーハーネスの配索ルートから側方に離れている場合に使用されるオフセット型ワイヤーハーネス用クランプに関するものである。
【背景技術】
【０００２】
従来のオフセット型ワイヤーハーネス用クランプを図５に示す。このオフセット型ワイヤーハーネス用クランプ１は、ワイヤーハーネス２に取り付けられる添え板部３と、この添え板部３の中間から側方に伸び出すオフセットアーム部４と、このオフセットアーム部４の先端から突出するアンカー部５とを一体に形成したものである。このクランプ１は、添え板部３をワイヤーハーネス２に添わせ、添え板部３とワイヤーハーネス２に一括してテープ巻き６を施すことによりワイヤーハーネス２に取り付けられる。この状態で、アンカー部５をボディ等の所定箇所に設けられた固定穴に押し込むと、ワイヤーハーネス２を前記固定穴からオフセット距離Ｓを保った状態でボディ等に固定することができる（特許文献１参照）。
【０００３】
【特許文献１】特開２００２−１５２９５４号公報
【発明の開示】
【発明が解決しようとする課題】
【０００４】
自動車のボディ等に形成された固定穴とワイヤーハーネスとのオフセット距離は、ボディ等の種類やワイヤーハーネスの配索ルートなどによって異なることが多い。しかし従来のオフセット型ワイヤーハーネス用クランプは、オフセット距離Ｓを変更できないため、オフセット距離Ｓの異なるものを複数種類用意して、オフセット距離に応じて使い分けていた。このため、オフセット型ワイヤーハーネス用クランプの種類が多くなり、コスト高になるだけでなく、管理も面倒であった。
【０００５】
本発明の目的は、上記のような問題点に鑑み、オフセット距離が変更可能なオフセット型ワイヤーハーネス用クランプを提供することにある。
【課題を解決するための手段】
【０００６】
本発明に係るオフセット型ワイヤーハーネス用クランプは、ワイヤーハーネスに取り付けられる添え板と、先端にアンカー部を有するオフセットアームとを別体に形成し、前記添え板及びオフセットアームに、この両者を添え板からアンカー部までのオフセット距離が変更できるように結合する結合部を設けたことを特徴とするものである（請求項１）。
【０００７】
本発明において、添え板側の結合部は、オフセットアームの添え板長手方向の移動を規制する横方向位置決め部と、オフセットアームのオフセット方向の移動を規制する縦方向位置決め部と、オフセットアームの板厚方向の移動を規制する抜け止め部とで構成され、
オフセットアーム側の結合部は、前記添え板側の縦方向位置決め部に係合してオフセット距離を設定するオフセット距離設定部と、前記添え板側の抜け止め部に係合する抜け止め用係合部とで構成されている、ことが好ましい（請求項２）。
【０００８】
また本発明において、添え板側に設けられた横方向位置決め部は、添え板の長手方向中間部を横断するように形成されたアーム嵌め込み溝からなり、
添え板側に設けられた縦方向位置決め部は、前記アーム嵌め込み溝の側壁上部から当該溝内に張り出すように形成された突片からなり、
添え板側に設けられた抜け止め部は、前記突片と、前記アーム嵌め込み溝の溝底から立ち上がる先端に鉤部の付いたロック片とからなり、
オフセットアーム側に設けられたオフセット距離設定部は、オフセット方向に所定のピッチで形成された前記添え板側の突片が入る複数の係合凹部からなり、
オフセットアーム側に設けられた抜け止め片用係合部は、前記添え板側のロック片が挿通され、その鉤部が縁に引っ掛かるように形成されたオフセット方向に長いスロットからなる、ことがさらに好ましい（請求項３）。
【０００９】
さらに本発明において、添え板とオフセットアームは、紐状又は帯状のヒンジ部で連結されていることが好ましい（請求項４）。
【発明の効果】
【００１０】
請求項１の発明によれば、添え板とオフセットアームが別体に形成され、この両者の結合部がオフセット距離を変更可能に結合できるようになっているので、添え板とオフセットアームを結合するときに所望のオフセット距離を設定することができる。したがって１種類のオフセット型ワイヤーハーネス用クランプで複数のオフセット距離に対応できるので、オフセット型ワイヤーハーネス用クランプの種類を少なくすることができ、コストダウンを図ることができると共に、オフセット型ワイヤーハーネス用クランプの管理を簡素化することができる。
【００１１】
請求項２の発明によれば、添え板とオフセットアームを、オフセット距離を変更可能に結合することができると共に、結合状態を確実に保持することができる。
【００１２】
請求項３の発明によれば、添え板とオフセットアームを簡単に、確実に結合することができる。
【００１３】
請求項４の発明によれば、添え板とオフセットアームがヒンジ部により連結され、バラバラにならないので、取扱いや管理が容易になる。
【発明を実施するための最良の形態】
【００１４】
図１は本発明の一実施形態を示す。このオフセット型ワイヤーハーネス用クランプ１０は、ワイヤーハーネスに取り付けられる添え板１２と、先端部にアンカー部１６を有するオフセットアーム１４とが別体に形成され、この両者が紐状（帯状でも可）のヒンジ部１８で連結された構成となっている。添え板１２の長手方向中間部にはオフセットアーム１４との結合部２０Ａが形成され、オフセットアーム１４の長手方向中間部から基端部までには添え板１２との結合部２０Ｂが形成されている。添え板１２とオフセットアーム１４はヒンジ部１８を折り返して図２〜図４のように結合される。
【００１５】
添え板１２側の結合部２０Ａは、その長手方向中間部を横断するように形成されたアーム嵌め込み溝２２と、このアーム嵌め込み溝２２の一方の側壁の上部から当該溝２２内に張り出すように形成された突片２４と、前記アーム嵌め込み溝２２の溝底から立ち上がるロック片２６とから構成されている。アーム嵌め込み溝２２の深さはオフセットアーム１４の厚さに相当するように設定されている。突片２４は添え板１２の幅方向に所定のピッチ（例えば５mmピッチ）で複数（図示の例では２つ）形成されている。またロック片２６の先端には図１（Ｅ）に示すように外向きの鉤部が形成されている。突片２４とロック片２６は添え板１２の長手方向（溝幅方向）に間隔をあけて形成されている。
【００１６】
一方、オフセットアーム１４側の結合部２０Ｂは、オフセットアーム１４の一方の側縁に前記突片２４と同じピッチで形成された複数（図示の例では４つ）の係合凹部２８と、前記ロック片２６が挿通されるオフセット方向に長いスロット３０とで構成されている。係合凹部２８の深さは突片２４の厚さに相当するように設定されている。スロット３０は、ロック片２６が挿通されると、スロット３０の縁にロック片２６の鉤部が引っ掛かるように形成されている。
【００１７】
オフセットアーム１４の先端部に形成されているアンカー部１６は、オフセットアーム１４の板面から立ち上がる軸部３２と、軸部３２の先端から軸部３２の両側へ広がりながら軸部３２の基部側へ折り返すように形成された弾性係止片３４とから構成される。この構成は従来と同じである。
【００１８】
以上のように構成されたオフセット型ワイヤーハーネス用クランプ１０は図２〜図４のように組み立てて使用される。まず、ヒンジ部１８を折り返して、添え板１２の結合部２０Ａ上にオフセットアーム１４の結合部２０Ｂを位置させる。その状態で、オフセットアーム１４の係合凹部２８を添え板１２の突片２４の下に差し込みながら、オフセットアーム１４のスロット３０に添え板１２のロック片２６を挿通させ、オフセットアーム１４の結合部２０Ｂを添え板１２のアーム嵌め込み溝２２に嵌め込む。
【００１９】
これで、オフセットアーム１４と添え板１２が結合された状態となる。すなわち、オフセットアーム１４の結合部２０Ｂが添え板１２のアーム嵌め込み溝２２に嵌め込まれると、オフセットアーム１４は添え板１２の長手方向に移動（横移動）できなくなり、その位置に位置決めされる。また、オフセットアーム１４の係合凹部２８が添え板１２の突片２４の下に差し込まれ、かつオフセットアーム１４のスロット３０を添え板１２のロック片２６が貫通して、ロック片２６の鉤部がスロット３０の縁に引っ掛かると、オフセットアーム１４は添え板１２の板厚方向に移動できなくなる。さらに、オフセットアーム１４の係合凹部２８が添え板１２の突片２４の下に差し込まれると、オフセットアーム１４はオフセット方向に移動（縦移動）できなくなり、その位置に位置決めされる。
【００２０】
図２は、添え板１２の２つ突片２４に、オフセットアーム１４の先端側２つの係合凹部２８を係合させた場合である。この場合はオフセット距離Ｓが最も短くなる。図３は、添え板１２の２つ突片２４に、オフセットアーム１４の中間の２つの係合凹部２８を係合させた場合である。この場合はオフセット距離Ｓが中位になる。図４は、添え板１２の２つ突片２４に、オフセットアーム１４の基端側２つの係合凹部２８を係合させた場合である。この場合はオフセット距離Ｓが最も長くなる。このように、このワイヤーハーネス用クランプ１０はオフセット距離を３段階に変更することができる。
【００２１】
なお、添え板１２の幅方向中央部には基準位置マーク３６が表示され、オフセットアーム１４の各係合凹部２８の中間には距離マーク３８が表示されている。距離マーク３８の数字15、20、25はそれぞれ、その数字を基準位置マーク３６に一致させたときに、オフセット距離Ｓが15mm、20mm、25mmに設定されることを示している。このような基準位置マーク３６及び距離マーク３８を表示しておけば、オフセット型ワイヤーハーネス用クランプ１０を組み立てるときに、オフセット距離Ｓの確認を容易に行うことができる。
【図面の簡単な説明】
【００２２】
【図１】本発明に係るオフセット型ワイヤーハーネス用クランプの一実施形態を展開した状態で示す、（Ａ）は平面図、（Ｂ）は底面図、（Ｃ）は側面図、（Ｄ）は（Ａ）のＤ−Ｄ線断面図、（Ｅ）は（Ｂ）のＥ−Ｅ線矢視図、（Ｆ）は（Ｂ）のＦ−Ｆ線断面図。
【図２】図１のクランプをオフセット距離が最も短くなるように組み立てた状態を示す、（Ａ）は平面図、（Ｂ）は底面図。
【図３】図１のクランプをオフセット距離が中位になるように組み立てた状態を示す、（Ａ）は平面図、（Ｂ）は底面図。
【図４】図１のクランプをオフセット距離が最も長くなるように組み立てた状態を示す、（Ａ）は平面図、（Ｂ）は底面図。
【図５】従来のオフセット型ワイヤーハーネス用クランプをワイヤーハーネスに取り付けた状態で示す底面図。
【符号の説明】
【００２３】
１０：オフセット型ワイヤーハーネス用クランプ
１２：添え板
１４：オフセットアーム
１６：アンカー部
１８：ヒンジ部
２０Ａ：添え板１２側の結合部
２０Ｂ：オフセットアーム１４側の結合部
２２：アーム嵌め込み溝
２４：突片
２６：ロック片
２８：係合凹部
３０：スロット
【図１】
2007185053.tif 000003
【図２】
2007185053.tif 000004
【図３】
2007185053.tif 000005
【図４】
2007185053.tif 000006
【図５】
2007185053.tif 000007